(57)【要約】【課題】被記録媒体の印刷面とは反対側の面へのインク付着を防止した縁なし印刷を実現することができるインクジェット式記録装置を提供する。【解決手段】インク滴を吐出するノズル開口を有するインクジェット式の記録ヘッドと該記録ヘッドのノズル開口に相対向する位置に設けられて被記録媒体と前記ノズル開口との距離を規定するプラテンとの間に前記被記録媒体を搬送すると共に、当該被記録媒体よりも広い領域に前記記録ヘッドからインク滴を吐出させることで、前記被記録媒体の印刷面の全面に亘って縁なし印刷を行う縁なしモードを有するインクジェット式記録装置において、水を保持すると共に印刷領域に開閉自在に設けられた蓋部３１を有する水保持部３２と、少なくとも縁なしモードにより印刷する際に所定のタイミングで前記蓋部３１を開く状態に制御する開閉手段３３とを有する加湿装置３０を設ける。【選択図】        図３
2004306267.tif 000002
【特許請求の範囲】
【請求項１】
インク滴を吐出するノズル開口を有するインクジェット式の記録ヘッドと該記録ヘッドのノズル開口に相対向する位置に設けられて被記録媒体と前記ノズル開口との距離を規定するプラテンとの間に前記被記録媒体を搬送すると共に、当該被記録媒体よりも広い領域に前記記録ヘッドからインク滴を吐出させることで、前記被記録媒体の印刷面の全面に亘って縁なし印刷を行う縁なしモードを有するインクジェット式記録装置において、
水を保持すると共に印刷領域に開閉自在に設けられた蓋部を有する水保持部と、少なくとも縁なしモードにより印刷する際に所定のタイミングで前記蓋部を開く状態に制御する開閉手段とを有する加湿装置を具備することを特徴とするインクジェット式記録装置。
【請求項２】
請求項１において、前記加湿装置が、前記印刷領域の湿度を検出する湿度センサを具備し、当該湿度センサの検出した湿度に応じて前記蓋部を開閉して前記印刷領域の湿度を所定湿度以上に調整することを特徴とするインクジェット式記録装置。
【請求項３】
請求項１又は２において、前記蓋部が、前記水保持部の相対向する開口縁部に両端が回転可能に保持された複数の板状部材からなることを特徴とするインクジェット式記録装置。
【請求項４】
請求項１〜３の何れかにおいて、前記水保持部には、水を吸収する水吸収材が設けられていることを特徴とするインクジェット式記録装置。
【請求項５】
請求項１〜４の何れかにおいて、前記加湿装置が、前記蓋部を開いた際に前記水保持部からの水の気化を促進する送風手段をさらに有することを特徴とするインクジェット式記録装置。
【請求項６】
請求項１〜５の何れかにおいて、前記加湿装置は、前記水保持部に給水する給水手段をさらに有することを特徴とするインクジェット式記録装置。
【発明の詳細な説明】
【０００１】
【発明の属する技術分野】
本発明は、インクカートリッジやインクタンク等のインク貯留部に貯留されたインクを記録ヘッドから吐出させて紙などの被記録媒体に印刷を行わせるインクジェット式記録装置に関する。
【０００２】
【従来の技術】
インクジェット式プリンタやプロッタ等のインクジェット式記録装置（以下、記録装置という）は、インクカートリッジやインクタンク等のインク貯留部に貯留されたインクを、インク滴として吐出可能な記録ヘッドを有する。そして、この記録装置では、記録ヘッドを主走査方向に沿って移動させ、この移動に連動させて記録ヘッドからインク滴を吐出させることで被記録媒体の主走査方向への印刷を行う。また、記録装置では、被記録媒体を副走査方向に搬送することで、被記録媒体の副走査方向への印刷を行う。
【０００３】
このような記録装置には、記録ヘッドに被記録媒体（被記録材）よりも広い領域にインクを吐出させて被記録媒体の印刷面の端部に余白を残さず、印刷面の全面に亘って印刷する、所謂縁なしモードによる印刷を行うものが提案されている（例えば、特許文献１参照）。
【０００４】
この記録装置では、複数のノズル列を有する記録ヘッドと、被記録媒体を印刷面とは反対側から支えることにより被記録媒体の記録ヘッドからの位置を規定するプラテンとを具備し、プラテンには、縁なしモードによる印刷を行った際に被記録媒体の端部からインク滴が打ち捨てられる、すなわち、被記録媒体の外側の領域で吐出されたインク滴を吸収するインク吸収材が保持された溝状の吸収部（溝穴）が設けられている。
【０００５】
【特許文献１】
特開２０００−８６７５７号公報（第３〜６頁、第１及び２図）
【特許文献２】
特開昭６０−１０７３７８号公報（第２〜３頁、第３及び第６図）
【０００６】
【発明が解決しようとする課題】
しかしながら、プラテンにインクを吸収するインク吸収材を設けても、実際には、インク滴の吐出時及びインク滴がインク吸収材に当接する衝撃などで、インク滴が吐出される印刷領域にはインクミストが発生する。また、印刷品質を向上するため、記録ヘッドから微細インクを吐出させると、微細インクは飛距離が短く、吐出された微細インクがインク吸収材まで到達せずにミスト化してしまう。このように印刷領域に発生したインクミストは、縁なしモードによる印刷時に被記録媒体の移動方向先端部側を印刷する際に、被記録媒体の移動に伴い印刷面とは反対側の面の移動方向先端部側にも付着して被記録媒体を汚してしまうという問題がある。このように印刷面とは反対側に汚れが生じると、被記録媒体として、両面に印刷を行う葉書などが使用できなくなってしまう。
【０００７】
本発明は、このような事情に鑑み、被記録媒体の印刷面とは反対側の面へのインク付着を防止した縁なし印刷を実現することができるインクジェット式記録装置を提供することを課題とする。
【０００８】
【課題を解決するための手段】
上記課題を解決する本発明の第１の態様は、インク滴を吐出するノズル開口を有するインクジェット式の記録ヘッドと該記録ヘッドのノズル開口に相対向する位置に設けられて被記録媒体と前記ノズル開口との距離を規定するプラテンとの間に前記被記録媒体を搬送すると共に、当該被記録媒体よりも広い領域に前記記録ヘッドからインク滴を吐出させることで、前記被記録媒体の印刷面の全面に亘って縁なし印刷を行う縁なしモードを有するインクジェット式記録装置において、水を保持すると共に印刷領域に開閉自在に設けられた蓋部を有する水保持部と、少なくとも縁なしモードにより印刷する際に所定のタイミングで前記蓋部を開く状態に制御する開閉手段とを有する加湿装置を具備することを特徴とするインクジェット式記録装置にある。
【０００９】
かかる第１の態様では、加湿装置により少なくとも印刷領域を加湿することで、印刷領域に搬送された被記録媒体の帯電を防止又は除電することができ、縁なしモードによる印刷時に印刷面とは反対側の面にインクミストの付着を防止して、インクミストによる汚れの発生を防止することができる。
【００１０】
本発明の第２の態様は、第１の態様において、前記加湿装置が、前記印刷領域の湿度を検出する湿度センサを具備し、当該湿度センサの検出した湿度に応じて前記蓋部を開閉して前記印刷領域の湿度を所定湿度以上に調整することを特徴とするインクジェット式記録装置にある。
【００１１】
かかる第２の態様では、印刷領域の湿度を所定湿度以上に調整することで、被記録媒体の帯電の防止又は除電を確実に行うことができる。
【００１２】
本発明の第３の態様は、第１又は２の態様において、前記蓋部が、前記水保持部の相対向する開口縁部に両端が回転可能に保持された複数の板状部材からなることを特徴とするインクジェット式記録装置にある。
【００１３】
かかる第３の態様では、複数の板状部材からなる蓋部によって、水保持部の開口の開閉を容易に且つ確実に行うことができる。
【００１４】
本発明の第４の態様は、第１〜３の何れかの態様において、前記水保持部には、水を吸収する水吸収材が設けられていることを特徴とするインクジェット式記録装置にある。
【００１５】
かかる第４の態様では、水吸収材に水が確実に保持され、振動及び衝撃により水が漏れることがない。
【００１６】
本発明の第５の態様は、第１〜４の何れかの態様において、前記加湿装置が、前記蓋部を開いた際に前記水保持部からの水の気化を促進する送風手段をさらに有することを特徴とするインクジェット式記録装置にある。
【００１７】
かかる第５の態様では、印刷領域を短時間で加湿することができ、縁なしモードにより印刷を行う際に、待機時間を短縮することができる。
【００１８】
本発明の第６の態様は、第１〜５の何れかの態様において、前記加湿装置は、前記水保持部に給水する給水手段をさらに有することを特徴とするインクジェット式記録装置にある。
【００１９】
かかる第６の態様では、水保持部への給水を自動化することができ、給水を簡略化することができる。
【００２０】
本発明は、記録ヘッドに被記録媒体よりも広い領域にインクを吐出させて、被記録媒体の印刷面の端部に余白を残さず印刷面の全面に亘って縁なし印刷を行う縁なしモードを有する記録装置によって、縁なしモードで被記録媒体の移動方向先端部側に印刷を行った際に、印刷面とは反対側の面の移動方向先端部側に霧状のインクミストが付着して汚れが生じるという問題を解決するものである。そして本発明は、このようなインクミストの付着は、被記録媒体が搬送時に接触する搬送用のローラや、被記録媒体同士の摩擦等によって帯電することが主な要因であるという知見に基づきなされたものである。
【００２１】
また、被記録媒体が低湿度環境（例えば、４０％未満）では特に帯電し易いため、被記録媒体の移動方向先端部の印刷時に、少なくともインクが吐出される印刷領域をそれ以上の湿度となるように加湿することで、被記録媒体へのインクミストの付着を防止するものである。
【００２２】
すなわち、本発明は、インクミストの発生を防止するのではなく、インクミストが発生する環境雰囲気を加湿することで被記録媒体を帯電し難くし、或いは除電し、印刷面とは反対側の面の移動方向先端部側にインクミストが付着するのを防止し、汚れが生じるのを防止するという特有の記録装置である。
【００２３】
なお、特許文献２には、記録装置内に、当該記録装置内を加湿する加湿装置が設けられた構成が開示されているが、この加湿装置は、被記録媒体の乾燥に伴う反りを防止するという目的で設けられたものである。したがって、特許文献２には、加湿により被記録媒体の帯電を防止して汚れを防止する点は記載されておらず、また、被記録媒体を高湿度環境に配置することで、被記録媒体の帯電が防止又は除電でき、これによりインクミストによる汚れが防止できることを示唆する記載もない。よって、縁なしモードにより印刷を行う記録装置に発生する被記録媒体の裏面の汚れの問題を加湿することで解決するという本発明の技術思想は、特許文献２からは示唆されない全く新規なものである。
【００２４】
【発明の実施の形態】
以下に本発明を実施形態に基づいて詳細に説明する。
（実施形態１）
図１は、インクジェット式記録装置の概略斜視図であり、図２は、インクジェット式記録装置の要部拡大断面図及びプラテンの平面図である。本発明の記録装置１０は、被記録媒体の印刷面の端部に余白を残して印刷を行う通常モードと、被記録媒体の端部に余白を残さず印刷面の全面に亘って縁なし印刷を行う縁なしモードとの２つのモードを有するものである。図１に示すように、記録ヘッド１１を有する記録ヘッドユニット１２は、インク供給手段を構成するカートリッジ１３Ａ及び１３Ｂがそれぞれ着脱可能に設けられ、この記録ヘッドユニット１２を搭載したキャリッジ１４は、装置本体１５に取り付けられたキャリッジ軸１６に軸方向移動自在に設けられている。この記録ヘッドユニット１２に搭載された記録ヘッド１１は、例えば、ブラックインク組成物及びカラーインク組成物を吐出するものである。
【００２５】
そして、駆動モータ１７の駆動力が図示しない複数の歯車およびタイミングベルト１８を介してキャリッジ１４に伝達されることで、記録ヘッドユニット１２を搭載したキャリッジ１４はキャリッジ軸１６に沿って主走査方向に移動される。一方、装置本体１５にはキャリッジ軸１６に沿ってプラテン１９が設けられており、図示しない給紙装置などにより給紙された紙等の被記録媒体である記録シートＳがプラテン１９上を副走査方向に搬送されるようになっている。
【００２６】
このような記録装置１０では、キャリッジ１４を主走査方向に移動させつつ、記録ヘッドユニット１２の記録ヘッド１１からインク滴を吐出させることで記録シートＳに主走査方向の印刷を行う。また、記録シートＳを副走査方向に搬送することで副走査方向の位置決めを行う。これにより、記録シートＳの印刷面に印刷を行うことができる。
【００２７】
なお、本実施形態の記録装置１０は、詳しくは後述するが、縁なしモードによる印刷時には、記録ヘッド１１に記録シートＳよりも広い領域にインク滴を吐出させて、記録シートＳの外側の領域、すなわち、記録シートＳの端部でプラテン１９にインク滴を打ち捨てながら印刷を実行することで、記録シートＳの端部に余白を残さず、記録シートＳの印刷面の全面に亘って印刷することができる。そして本発明では、この縁なしモードにより印刷する際に、少なくとも印刷領域を加湿する。
【００２８】
ここで、本実施形態の記録装置１０の印刷機構について図２を参照して説明する。図２に示すように、記録装置１０には、上述したインク滴を吐出する複数のノズル列２０を有する記録ヘッド１１が搭載された記録ヘッドユニット１２と、記録シートＳを印刷面Ｓａとは反対側の裏面Ｓｂから支えることにより記録シートＳのノズル列２０からの位置を規定するプラテン１９と、少なくとも印刷領域を加湿する加湿装置３０と、記録ヘッドユニット１２とプラテン１９との間に記録シートＳを搬送する搬送手段４０と、搬送された記録シートＳを排紙する排紙手段５０とが設けられている。なお、ここで言う印刷領域とは、記録ヘッド１１のノズル列２０からインク滴が吐出されて印刷が実行される領域であり、少なくとも記録ヘッドユニット１２とプラテン１９との間を含む領域である。
【００２９】
記録ヘッドユニット１２は、上述のようにキャリッジ１４に搭載され、キャリッジ軸１６に沿って主走査方向へ移動する。また、プラテン１９は、記録ヘッドユニット１２に搭載された記録ヘッド１１のノズル列２０に相対向するようにキャリッジ軸１６の軸方向に亘って設けられている。このプラテン１９には、ノズル列２０に相対向する面に主走査方向に亘って溝形状を有する吸収部２１と、吸収部２１の副走査方向両側に主走査方向に亘って所定間隔で並設された平板状の複数のリブ２２とが設けられている。このリブ２２の一部は、詳しくは後述する加湿装置３０の上部側から排紙手段５０に至るまで延設されている。このようなプラテン１９のリブ２２が記録シートＳの裏面Ｓｂに当接することで、記録シートＳのノズル列２０からの距離を規定している。
【００３０】
また、プラテン１９の吸収部２１には、縁なしモードによる印刷時に打ち捨てられたインク滴を吸収するインク吸収材２３が保持されている。このインク吸収材２３は、例えば、ポリウレタン等の樹脂材料などで形成された多孔質材料からなる。このようなインク吸収材２３を保持した吸収部２１を有するプラテン１９を設けることで、記録シートＳの印刷面Ｓａの全面に亘って縁なしモードによる印刷を行う際に、記録ヘッド１１が記録シートＳよりも広い領域にインク滴を吐出して記録シートＳの端部から吸収部２１内にインク滴が打ち捨てられても、打ち捨てられたインク滴が吸収部２１内に保持されたインク吸収材２３に吸収されてインクミストを減少させると共に、インクミストがリブ２２に付着して、リブ２２に当接される記録シートＳの印刷面Ｓａとは反対側の裏面Ｓｂへのインクの付着を防止できる。なお、本実施形態では、プラテン１９にインク吸収材２３を保持する吸収部２１を設けるようにしたが、特にこれに限定されず、例えば、プラテン自体をインクを吸収する材料で形成するようにしてもよい。
【００３１】
また、このような記録装置１０には、少なくとも縁なしモードで印刷する際に、少なくともインク滴が吐出される印刷領域を加湿する加湿装置３０が設けられている。ここで、加湿装置３０について詳細に説明する。図３は、加湿装置の概略斜視図であり、図４は、加湿装置の断面図である。図３及び図４に示すように、加湿装置３０は、水を保持すると共に印刷領域に開閉自在に設けられた蓋部３１を有する水保持部３２と、縁なしモードにより印刷する際に所定のタイミングで蓋部３１を開く状態に制御する開閉手段３３とを具備する。
【００３２】
水保持部３２は、図２に示すように、プラテン１９に隣接して設けられて、キャリッジ軸１６の軸方向に亘って設けられた箱形状を有する。この水保持部３２は、内部に水を保持すると共に、記録ヘッドユニット１２に対向する面に開口部３４が設けられている。本実施形態では、水保持部３２の内部にポリウレタン等の樹脂材料などで形成された多孔質材料からなる水吸収材３５を設け、この水吸収材３５に水を吸収させることで水保持部３２に水を保持させている。
【００３３】
また、水保持部３２の開口部３４には、開閉自在に設けられた蓋部３１が設けられている。この蓋部３１は、本実施形態では、開口部３４の相対向する縁部に両端が回転自在に保持された複数の板状部材からなり、水保持部３２の側面に設けられた開閉手段３３によって回転されることで、図４（ａ）及び（ｂ）に示すように開口部３４の開閉を行うようになっている。この蓋部３１を回転して開口部３４を開閉させる開閉手段３３は、例えば、駆動モータ、電磁石等からなり、クランク３６を介して各蓋部３１に固定され蓋部３１を回転させる。
【００３４】
そして、開閉手段３３による蓋部３１の開閉は、少なくとも縁なしモードによる印刷時に所定のタイミングで行われ、蓋部３１を開口することで印刷領域を加湿する。このように加湿装置３０により少なくとも印刷領域を加湿することで、印刷領域に搬送された記録シートＳの帯電を防止又は除電して、記録シートＳの全面に亘って縁なしモードにより印刷した際に、記録シートＳの印刷面Ｓａとは反対側の裏面Ｓｂの移動方向先端部側へのインクミストの付着を防止して、インクミストによる汚れを防止する。
【００３５】
このため、加湿装置３０による加湿は、少なくとも記録シートＳの印刷面Ｓａの全面に亘って縁なしモードによる印刷を行う場合のみでよく、また、少なくとも印刷領域のみでよい。また、加湿装置３０による加湿によって記録シートＳの裏面Ｓｂの移動方向先端部側のインクミストによる汚れを防止するため、加湿装置３０による加湿は、少なくとも縁なしモードによる印刷を開始する前であればよい。
【００３６】
勿論、加湿装置３０による加湿を、印刷領域を含めた記録装置１０内全ての領域で行ってもよく、縁なしモードによる印刷中や通常モードによる印刷時などに行ってもよい。なお、記録シートＳの裏面Ｓｂにインクミストが付着しない程度に記録シートＳの帯電を防止又は除電するには、印刷領域を湿度５０％以上とするのが好ましいが、湿度が高すぎると記録シートＳに皺、印刷不良等が発生すると共に、搬送時にジャミング等が発生し易いため、８０％以下の湿度とするのが好ましい。すなわち、印刷領域の好適な湿度は、５０〜８０％である。
【００３７】
一方、図２に示すように、記録装置１０は、記録ヘッドユニット１２とプラテン１９との間に記録シートＳを搬送する搬送手段４０を具備する。この搬送手段４０は、本実施形態では、図示しない駆動モータ等の駆動手段により回転される搬送駆動ローラ４１と、搬送駆動ローラ４１に圧接して搬送駆動ローラ４１に従動回転する搬送従動ローラ４２とで構成されている。
【００３８】
この搬送駆動ローラ４１と搬送従動ローラ４２との間に図示しない給紙装置から給紙された記録シートＳが挟持されることで、記録シートＳは、搬送駆動ローラ４１の回転により記録ヘッドユニット１２とプラテン１９との間に搬送される。このように記録ヘッドユニット１２とプラテン１９との間に搬送された記録シートＳは、所定距離の搬送が行われた後、搬送方向下流側に設けられた排紙手段５０によって排紙される。
【００３９】
また、排紙手段５０は、本実施形態では、図示しない駆動モータ等の駆動手段により回転される排紙駆動ローラ５１と、排紙駆動ローラ５１に圧接して排紙駆動ローラ５１に従動回転する排紙従動ローラ５２とで構成されている。この排紙駆動ローラ５１と排紙従動ローラ５２との間に記録シートＳが挟持されることで、記録シートＳは記録ヘッドユニット１２とプラテン１９との間から排紙される。
【００４０】
（実施形態２）
図５は、本発明の実施形態２に係るインクジェット式記録装置の要部断面図である。なお、上述した実施形態１と同様の機能を有する部材には同一の符号を付して重複する説明は省略する。図５に示すように、本実施形態の加湿装置３０Ａは、蓋部３１の設けられた水保持部３２と、開閉手段３３と、印刷領域に開閉手段３３と接続された湿度センサ３７とを具備する。湿度センサ３７は、印刷領域の湿度を検出するものであり、例えば、乾湿球式、毛髪式、水晶振動式、高分子系センサ及び金属酸化物センサ等を挙げることができる。
【００４１】
開閉手段３３は、このような湿度センサ３７の検出した印刷領域の湿度に応じて、蓋部３１を回転させて開口部３４を開口し、印刷領域を所定の湿度以上となるように調整する。詳しくは、湿度センサ３７が検出した印刷領域の湿度が所定の湿度未満の場合、開閉手段３３が蓋部３１を回転させて開口部３４を開口する。これにより、水保持部３２の水を吸収した水吸収材３５が印刷領域の環境雰囲気に晒され、印刷領域の環境雰囲気が加湿される。また、湿度センサ３７が検出した印刷領域の湿度が所定湿度以上の場合、開閉手段３３は蓋部３１を回転させずに開口部３４を閉じ続け、加湿が行われない。
【００４２】
さらに、開閉手段３３は湿度センサ３７が検出した印刷領域の湿度に応じて、蓋部３１の回転量を調整して開口部３４の開口面積を変更するようにしてもよい。すなわち、湿度センサ３７が検出した印刷領域の湿度が所定湿度未満（例えば、５０％未満）の同一条件内で、低い湿度の場合には開口部３４の開口面積が最大となるように蓋部３１を回転させ、逆に高い湿度の場合には開口部３４の開口面積が小さくなるように蓋部３１を回転させる。このように、湿度センサ３７が検出した湿度に応じて、開口部３４の開口面積を変化させることで、水保持部３２内に保持された水の無駄な消費を防止することができると共に、印刷領域を加湿し過ぎるのを防止して、記録シートＳの皺及び印刷不良や、搬送時のジャミング等を防止することができる。
【００４３】
（実施形態３）
図６は、本発明の実施形態３に係る加湿装置の分解斜視図である。なお、上述した実施形態１と同様の機能を有する部材には、同一の符号を付して重複する説明は省略する。図６に示すように、本実施形態の加湿装置３０Ｂは、蓋部３１を有する水保持部３２と、開閉手段３３と、水保持部３２の蓋部３１側に固定された送風手段６０と、水保持部３２に水を供給する供給手段７０とを具備する。
【００４４】
送風手段６０は、水保持部３２の開口部３４側に設けられて、水吸収材３５側の気体を吸引して記録ヘッドユニット１２側に送風する方向に回転する羽部６１と、羽部６１を回転させる図示しない駆動モータ等の駆動手段とから構成されている。この送風手段６０によって水吸収材３５側の気体を吸引することで、水吸収材３５に保持された水の気化を促進している。このような送風手段６０は、開閉手段３３による蓋部３１の回転に伴う開口部３４の開口に連動して動作させるようにすればよい。このような送風手段６０を加湿装置３０Ｂに設けることで、印刷領域が著しく低い湿度となった場合にも、印刷領域の加湿を短時間で行うことができ、縁なしモードによる印刷を待機させることなく短時間で開始させることができる。
【００４５】
また、供給手段７０は、水を貯留すると共に水供給管７１を介して水保持部３２に接続された貯留部７２と、貯留部７２と水保持部３２とを接続する水供給管７１の途中に設けられて貯留部７２に貯留された水を水保持部３２に送るポンプ７３とを具備する。このような供給手段７０は、水保持部３２に保持された水量が所定量に減少した場合にポンプ７３が貯留部７２内の水を水供給管７１を介して水保持部３２に供給する。なお、水保持部３２に保持された水量の検出は、例えば、水保持部３２内に水位センサを設けて検出してもよく、また、水保持部３２全体の重量を検出する重量検出センサを設けて検出してもよい。
【００４６】
このような供給手段７０を加湿装置３０Ｂに設けることで、水保持部３２内に常に所定の水を保持させることができ、水保持部３２への頻繁な給水を自動化することができる。なお、実施形態２の湿度センサ３７が設けられた加湿装置３０Ａに本実施形態の送風手段６０及び供給手段７０を設けるようにしてもよく、例えば、湿度センサ３７が検出した印刷領域の湿度に応じて送風手段６０の駆動を行うようにしてもよい。
【００４７】
（他の実施形態）
以上、本発明の各実施形態を説明したが、本発明は上述したものに限定されるものではない。例えば、上述した実施形態１〜３では、加湿装置３０〜３０Ｂをプラテン１９に隣接して設け、水保持部３２の記録ヘッドユニット１２に対向する面側に開閉自在な蓋部３１を設けるようにしたが、印刷領域に蓋部３１を開閉自在に設けて印刷領域を加湿することができれば、水保持部の形状及び位置等はこれに限定されない。
【００４８】
また、上述した実施形態１〜３では、記録ヘッドユニット１２が主走査方向に移動して記録シートＳの主走査方向に印刷を行う記録装置１０を例示したが、縁なしモードによる印刷を行える記録装置であれば本発明を適用することができる。縁なしモードによる印刷を行える記録装置としては、例えば、固定された記録ヘッドに複数のノズル列が記録シートＳよりも広く設けられた、記録ヘッド固定型の記録装置を挙げることができる。
【図面の簡単な説明】
【図１】実施形態１に係る記録装置の概略斜視図である。
【図２】実施形態１に係る記録装置の要部断面図及び平面図である。
【図３】実施形態１に係る加湿装置の概略斜視図である。
【図４】実施形態１に係る加湿装置の断面図である。
【図５】実施形態２に係る記録装置の要部断面図である。
【図６】実施形態３に係る加湿装置の分解斜視図である。
【符号の説明】
１０、１０Ａ、１０Ｂ  記録装置、１１  記録ヘッド、１２  記録ヘッドユニット、１３Ａ、１３Ｂ  カートリッジ、１９  プラテン、２０  ノズル列、２１吸収部、２２  リブ、２３  インク吸収材、３０  加湿装置、３１  蓋部、３２  水保持部、３３  開閉手段、３５  水吸収材、３７  湿度センサ、４０  搬送手段、５０  排紙手段、６０  送風手段、７０  供給手段
【図１】
2004306267.tif 000003
【図２】
2004306267.tif 000004
【図３】
2004306267.tif 000005
【図４】
2004306267.tif 000006
【図５】
2004306267.tif 000007
【図６】
2004306267.tif 000008